【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
外部機器に接続可能な画像再生装置において、
記憶手段に格納された画像を再生する再生手段と、
前記外部機器が接続されたか否かを判断する判断手段と、
前記外部機器が接続されている場合、当該外部機器で対応可能な画像を選択する画像選択手段と、
前記画像選択手段により選択された画像を前記再生手段により再生する制御手段とを具備することを特徴とする画像再生装置。
【請求項２】
前記再生手段は、前記画像選択手段により選択された画像のみを順次再生させる画像送り手段を更に備えることを特徴とする請求項１に記載の画像再生装置。
【請求項３】
前記画像選択手段により選択された画像を縮小したインデックス画像を作成する画像作成手段を更に備え、
前記再生手段は、前記画像作成手段により作成されたインデックス画像を一覧で再生することを特徴とする請求項１又は２に記載の画像再生装置。
【請求項４】
前記外部機器で対応可能な機能情報を取得する取得手段を更に備え、
前記画像選択手段は前記機能情報に基づいて画像を選択することを特徴とする請求項１乃至３のいずれか１項に記載の画像再生装置。
【請求項５】
前記外部機器は印刷装置であり、
前記判断手段は前記印刷装置との接続が確立したか否かを判断することを特徴とする請求項４に記載の画像再生装置。
【請求項６】
前記機能情報は、前記印刷装置で印刷可能な画像の縦横幅の最大値又は最小値に関する情報であることを特徴とする請求項５に記載の画像再生装置。
【請求項７】
前記機能情報は、前記印刷装置で印刷可能な最大又は最小画像データサイズに関する情報であることを特徴とする請求項５に記載の画像再生装置。
【請求項８】
前記機能情報は、前記印刷装置で印刷可能な用紙サイズ情報であることを特徴とする請求項５に記載の画像再生装置。
【請求項９】
前記画像選択手段は、所定の方式で圧縮して記憶された画像を選択することを特徴とする請求項１乃至８のいずれか１項に記載の画像再生装置。
【請求項１０】
前記画像選択手段は、正常な状態で記憶された画像を選択することを特徴とする請求項１乃至８のいずれか１項に記載の画像再生装置。
【請求項１１】
前記印刷装置に対して、前記画像選択手段により選択された画像の印刷を指示する指示手段を更に備えることを特徴とする請求項５乃至１０のいずれか１項に記載の画像再生装置。
【請求項１２】
外部機器に接続可能な装置の画像再生方法であって、
記憶手段に格納された画像を再生する再生工程と、
前記外部機器が接続されたか否かを判断する判断工程と、
前記外部機器が接続されている場合、当該外部機器で対応可能な画像を選択する画像選択工程と、
前記画像選択工程により選択された画像を前記再生工程により再生する制御工程とを具備することを特徴とする画像再生方法。
【請求項１３】
画像再生装置と画像出力装置とを接続した画像再生システムにおいて、
前記画像再生装置は、
記憶手段に格納された画像を再生する再生手段と、
前記画像出力装置で対応可能な機能情報を取得する取得手段と、
前記機能情報に基づいて、前記画像出力装置で対応可能な画像を選択する画像選択手段と、
前記画像選択手段により選択された画像を前記再生手段により再生する制御手段とを備え、
前記画像出力装置は、
前記画像再生装置に対し前記画像出力装置で対応可能な機能情報を送信する送信手段と、
前記画像再生装置から送信された画像データを記録する記録手段とを備えることを特徴とする画像再生システム。
【請求項１４】
情報記憶媒体から、静止画像ファイルおよび、当該静止画像ファイル以外のメディアファイルを再生可能な画像再生装置であって、
外部機器が接続されたか否かを判断する判断手段と、
前記外部機器が接続されている場合、前記メディアファイルの再生を禁止して、前記静止画像ファイルを再生可能に制御する制御手段とを具備することを特徴とする画像再生装置。
【請求項１５】
前記静止画像ファイル及び前記メディアファイルを選択するための縮小画像を、複数、同一画面に表示する表示部を有し、
前記判断手段で、前記外部機器と接続されている場合には、前記メディアファイルに対応する縮小画像は表示させずに、前記静止画像ファイルに対応する縮小画像を表示することを特徴とする請求項１４に記載の画像再生装置。
【請求項１６】
前記メディアファイルは、動画像ファイルまたは音声ファイルであることをと特徴とする請求項１４又は１５に記載の画像再生装置。
【請求項１７】
情報記憶媒体から、静止画像ファイルおよび、当該静止画像ファイル以外のメディアファイルを再生する画像再生方法であって、
外部機器が接続されたか否かを判断する判断工程と、
前記外部機器が接続されている場合、前記メディアファイルの再生を禁止して、前記静止画像ファイルを再生可能に制御する制御工程とを備えることを特徴とする画像再生方法。
【請求項１８】
請求項１２又は１７に記載の画像再生方法を、画像再生装置を制御するコンピュータに実行させるためのプログラム。
【請求項１９】
請求項１８に記載のプログラムを記憶したことを特徴とするコンピュータ読取可能な記憶媒体。
【手続補正２】
【補正対象書類名】明細書
【補正対象項目名】０００５
【補正方法】変更
【補正の内容】
【０００５】
上記課題を解決し、目的を達成するために、本発明の画像再生装置は、外部機器に接続可能な画像再生装置において、記憶手段に格納された画像を再生する再生手段と、前記外部機器が接続されたか否かを判断する判断手段と、前記外部機器が接続されている場合、当該外部機器で対応可能な画像を選択する画像選択手段と、前記画像選択手段により選択された画像を前記再生手段により再生する制御手段とを具備する。
【手続補正３】
【補正対象書類名】明細書
【補正対象項目名】０００６
【補正方法】変更
【補正の内容】
【０００６】
また、本発明の画像再生方法は、外部機器に接続可能な装置の画像再生方法であって、記憶手段に格納された画像を再生する再生工程と、前記外部機器が接続されたか否かを判断する判断工程と、前記外部機器が接続されている場合、当該外部機器で対応可能な画像を選択する画像選択工程と、前記画像選択工程により選択された画像を前記再生工程により再生する制御工程とを具備する。
【手続補正４】
【補正対象書類名】明細書
【補正対象項目名】０００７
【補正方法】変更
【補正の内容】
【０００７】
また、本発明の画像再生システムは、画像再生装置と画像出力装置とを接続した画像再生システムにおいて、前記画像再生装置は、記憶手段に格納された画像を再生する再生手段と、前記画像出力装置で対応可能な機能情報を取得する取得手段と、前記機能情報に基づいて、前記画像出力装置で対応可能な画像を選択する画像選択手段と、前記画像選択手段により選択された画像を前記再生手段により再生する制御手段とを備え、前記画像出力装置は、前記画像再生装置に対し前記画像出力装置で対応可能な機能情報を送信する送信手段と、前記画像再生装置から送信された画像データを記録する記録手段とを備える。
【手続補正５】
【補正対象書類名】明細書
【補正対象項目名】０００８
【補正方法】変更
【補正の内容】
【０００８】
また、本発明の画像再生装置は、情報記憶媒体から、静止画像ファイルおよび、当該静止画像ファイル以外のメディアファイルを再生可能な画像再生装置であって、外部機器が接続されたか否かを判断する判断手段と、前記外部機器が接続されている場合、前記メディアファイルの再生を禁止して、前記静止画像ファイルを再生可能に制御する制御手段とを具備する。
【手続補正６】
【補正対象書類名】明細書
【補正対象項目名】０００９
【補正方法】変更
【補正の内容】
【０００９】
また、本発明の画像再生方法は、情報記憶媒体から、静止画像ファイルおよび、当該静止画像ファイル以外のメディアファイルを再生する画像再生方法であって、外部機器が接続されたか否かを判断する判断工程と、前記外部機器が接続されている場合、前記メディアファイルの再生を禁止して、前記静止画像ファイルを再生可能に制御する制御工程とを備える。